【手続補正書】
【提出日】平成27年10月8日(2015.10.8)
【手続補正１】
【補正対象書類名】明細書
【補正対象項目名】００１５
【補正方法】変更
【補正の内容】
【００１５】
【図１】本開示の一実施の形態に係る表示装置の構成を表す図である。
【図２】図１に示した画素駆動回路の一例を表す回路図である。
【図３】図１に示した表示装置の構成を表す断面図である。
【図４】図１に示したサブ画素の配列を表す模式図である。
【図５】図４に示した画素配列を形成するカラーフィルタ層、有機層（発光層）およびバンク開口の各レイアウトを表す模式図である。
【図６Ａ】図３に示した有機層のタンデム構成の一例を説明するための断面模式図である。
【図６Ｂ】図３に示した有機層のタンデム構成の一例を説明するための断面模式図である。
【図７Ａ】図３に示した有機ＥＬ素子の構成（異物なし）を表す断面図である。
【図７Ｂ】図３に示した有機ＥＬ素子の構成（異物混入領域付近）を表す断面図である。
【図８Ａ】図３に示した第２電極の一例を表す拡大断面図である。
【図８Ｂ】図３に示した第２電極の一例を表す拡大断面図である。
【図９】図３に示した表示装置の製造工程の流れを表すフロー図である。
【図１０Ａ】図９に示した表示装置の製造工程のうちの第２電極の形成工程を説明するための断面図である。
【図１０Ｂ】図１０Ａに続く工程を表す断面図である。
【図１０Ｃ】図１０Ｂに続く工程を表す断面図である。
【図１１】図９に示した製造工程において用いられる修復装置を含むシステム構成例を表す機能ブロック図である。
【図１２】図１１に示した修復装置の構成を、画素駆動回路と共に表した機能ブロック図である。
【図１３Ａ】表示動作時の画素駆動回路等の状態を表す回路図である。
【図１３Ｂ】正常発光時の画素駆動回路等の状態を表す回路図である。
【図１３Ｃ】正常に発光しない時（異物混入時）の画素駆動回路等の状態を表す回路図である。
【図１３Ｄ】修復動作時の画素駆動回路等の状態を表す回路図である。
【図１４】修復動作時のバイアス電圧の駆動条件の一例を表す図である。
【図１５Ａ】修復動作時のパネルへの通電方法の一例を表す模式図である。
【図１５Ｂ】修復動作時のパネルへの通電方法の一例を表す模式図である。
【図１５Ｃ】修復動作時のパネルへの通電方法の一例を表す模式図である。
【図１５Ｄ】修復動作時のパネルへの通電方法の一例を表す模式図である。
【図１５Ｅ】修復動作時のパネルへの通電方法の一例を表す模式図である。
【図１６】変形例１−１に係るサブ画素の配列を表す模式図である。
【図１７】図１６に示した画素配列を形成するカラーフィルタ層、有機層（発光層）およびバンク開口の各レイアウトを表す模式図である。
【図１８】図１７に示した有機層のタンデム構成の一例を説明するための断面模式図である。
【図１９】変形例１−２に係る画素配列を形成するカラーフィルタ層、有機層（発光層）およびバンク開口の各レイアウトを表す模式図である。
【図２０】図１９に示した有機層の塗り分け構成の一例を説明するための断面模式図である。
【図２１】変形例１−３に係る画素配列を形成するカラーフィルタ層、有機層（発光層）およびバンク開口の各レイアウトを表す模式図である。
【図２２】図２１に示した有機層の塗り分け構成の一例を説明するための断面模式図である。
【図２３】変形例１−４に係る画素配列を形成するカラーフィルタ層、有機層（発光層）およびバンク開口の各レイアウトを表す模式図である。
【図２４】図２３に示した有機層の塗り分け構成の一例を説明するための断面模式図である。
【図２５】変形例２に係るアノードリフレクタを有する素子構造を表す断面図である。
【図２６】図２５に示した開口部の配置の一例を表す平面図である。
【図２７】図２５に示した開口部の一構成例を表す断面図である。
【図２８】図２５に示した開口部における光線を示す説明図である。
【図２９】図２５に示した開口部の配置の他の例を表す平面図である。
【図３０Ａ】図２５に示した開口部の他の例を表す平面図である。
【図３０Ｂ】図２５に示した開口部の他の例を表す平面図である。
【図３０Ｃ】図２５に示した開口部の他の例を表す平面図である。
【図３０Ｄ】図２５に示した開口部の他の例を表す平面図である。
【図３０Ｅ】図２５に示した開口部の他の例を表す平面図である。
【図３１】図２５に示した開口部の配置の他の例を表す平面図である。
【図３２】図２５に示した開口部の配置の他の例を表す平面図である。
【図３３Ａ】図２５に示した開口部の配置の他の例を表す平面図である。
【図３３Ｂ】図２５に示した開口部の配置の他の例を表す平面図である。
【図３４】図２５に示した開口部の配置の他の例を表す平面図である。
【図３５】図２５に示した開口部の配置の他の例を表す平面図である。
【図３６Ａ】図２５に示した開口部の配置の他の例を表す平面図である。
【図３６Ｂ】図２５に示した開口部の配置の他の例を表す平面図である。
【図３６Ｃ】図２５に示した開口部の配置の他の例を表す平面図である。
【図３６Ｄ】図２５に示した開口部の配置の他の例を表す平面図である。
【図３７Ａ】図２５に示した開口部の配置の他の例を表す平面図である。
【図３７Ｂ】図２５に示した開口部の配置の他の例を表す平面図である。
【図３７Ｃ】図２５に示した開口部の配置の他の例を表す平面図である。
【図３７Ｄ】図２５に示した開口部の配置の他の例を表す平面図である。
【図３７Ｅ】図２５に示した開口部の配置の他の例を表す平面図である。
【図３７Ｆ】図２５に示した開口部の配置の他の例を表す平面図である。
【図３８Ａ】図２５に示した開口部の配置の他の例を表す平面図である。
【図３８Ｂ】図２５に示した開口部の配置の他の例を表す平面図である。
【図３９】図１等に示した表示装置を含むモジュールの概略構成を表す平面図である。
【図４０】テレビジョン装置の構成を表す斜視図である。
【図４１Ａ】デジタルスチルカメラの構成を表す斜視図である。
【図４１Ｂ】デジタルスチルカメラの構成を表す斜視図である。
【図４２】パーソナルコンピュータの外観を表す斜視図である。
【図４３】ビデオカメラの外観を表す斜視図である。
【図４４Ａ】携帯電話機の構成を表す平面図である。
【図４４Ｂ】携帯電話機の構成を表す平面図である。
【図４５Ａ】スマートフォンの構成を表す斜視図である。
【図４５Ｂ】スマートフォンの構成を表す斜視図である。
【図４６Ａ】比較例に係る有機ＥＬ素子の製造工程を説明するための模式図である。
【図４６Ｂ】比較例に係る有機ＥＬ素子の製造工程を説明するための模式図である。
【手続補正２】
【補正対象書類名】明細書
【補正対象項目名】００１９
【補正方法】変更
【補正の内容】
【００１９】
図３は、図１に示した表示装置の断面構成を表すものである。尚、図３では、上記４色の画素ＰＸＬＣに対応する領域について示している。表示装置１は、例えば有機ＥＬ素子１０Ａで発生した光が封止基板２０の上方へ取り出される、いわゆるトップエミッション方式（上面発光方式）の有機ＥＬ表示装置である。また、有機ＥＬ素子１０Ａが白色の光を発する素子構造を有しており、各有機ＥＬ素子１０Ａから発せられた白色の光が、カラーフィルタ層１９（１９Ｒ，１９Ｇ，１９Ｂ，１９Ｗ）を通過することにより、上記光ＬＲ，ＬＧ，ＬＢ，ＬＷを出射するようになっている。
【手続補正３】
【補正対象書類名】明細書
【補正対象項目名】００２３
【補正方法】変更
【補正の内容】
【００２３】
図５は、上記４つの画素ＰＸＬＣを形成するためのカラーフィルタ層１９、有機層１６（具体的には有機電界発光層）および開口部ＷＩＮ（バンク１５の開口）の各レイアウトの一例を表したものである。このように、本実施の形態では、カラーフィルタ層１９の色の配列（Ｒ，Ｇ，Ｂ，Ｗ）が、画素ＰＸＬＣの配列に対応しており、有機層１６は、４つの画素ＰＸＬＣに対して共通の白色発光層（Ｗ）を有している。また、バンク１５の開口部ＷＩＮは、画素ＰＸＬＣと１対１対応で設けられている。
【手続補正４】
【補正対象書類名】明細書
【補正対象項目名】００２８
【補正方法】変更
【補正の内容】
【００２８】
第１電極１４は、画素毎に電気的に分離して設けられると共に、例えば光反射性を有しており、できるだけ高い反射率を有することが発光効率を高める上では望ましい。また、第１電極１４は陽極として用いられることから、正孔注入性の高い材料により構成されていることが望ましい。第１電極１４の構成材料としては、クロム（Ｃｒ），金（Ａｕ），白金（Ｐｔ），ニッケル（Ｎｉ），銅（Ｃｕ），モリブデン（Ｍｏ），タングステン（Ｗ），チタン（Ｔｉ），タンタル（Ｔａ）あるいは銀（Ａｇ）などの金属元素の単体または合金が挙げられる。第１電極１４の表面には、インジウムとスズの酸化物（ＩＴＯ）などの透明導電膜が設けられていてもよい。第１電極１４の厚みは、配線抵抗と反射率（表面ラフネス）のバランスにより適宜設定される。
【手続補正５】
【補正対象書類名】明細書
【補正対象項目名】００４９
【補正方法】変更
【補正の内容】
【００４９】
［修復工程］
図１１は、逆バイアス印加工程において用いられる修復装置（修復装置４１）を含むシステム構成を表したものである。修復装置４１は、外部電源４０に接続されており、この外部電源４０から供給される電力に基づいて、設置部４２に設置されたパネル４３を通電可能となっている。設置部４２は、パネル４３を所定の位置に載置するためのものであり、例えばホットプレートなどを含んで構成されている。ここで、修復対象となるパネル４３は、製造工程中の半製品状態にあるものである。具体的には、パネル４３は、画素駆動回路１４０、走査線駆動回路１３０および信号線駆動回路１２０が形成された駆動基板１０上に、第１電極１４、バンク１５、有機層１６および第１導電膜１７Ａが形成された状態（信号線ドライバＩＣ等が接続される前の状態）の素子基板である。図１２に、修復装置４１の機能構成を、画素駆動回路１４０および走査線駆動回路１３０の構成と共に示す。
【手続補正６】
【補正対象書類名】明細書
【補正対象項目名】００５０
【補正方法】変更
【補正の内容】
【００５０】
（１．修復装置の構成）
修復装置４１は、例えば、垂直駆動条件発生回路４４と、バイアス電圧発生回路４５と、バイアス電圧駆動回路４６と、修復素子選択制御回路４７と、修復信号電位発生回路４８とを含んで構成されている。この修復装置４１は、例えばパネル４３（表示装置１）における信号線駆動回路１２０を停止させた状態で、特定領域内の画素駆動回路１４０に修復信号を供給すると共に、有機ＥＬ素子１０Ａに逆バイアス電圧を印加することにより、滅点の修復動作を行うものである。
【手続補正７】
【補正対象書類名】明細書
【補正対象項目名】００５２
【補正方法】変更
【補正の内容】
【００５２】
バイアス電圧発生回路４５は、電源電圧Ｖccおよび陰極線電圧Ｖcatを発生するものである。電源電圧Ｖccは、電源供給線４６Ａを通じて、有機ＥＬ素子１０Ａの陽極側に供給される。陰極線電圧Ｖcatは、陰極電圧供給線４６Ｂを通じて、有機ＥＬ素子１０Ａの陰極側に供給される。これにより、修復動作時には、逆バイアス電圧（Ｖcc＜Ｖcat）が、表示動作には順バイアス電圧（Ｖcc＞Ｖcat）が、それぞれ有機ＥＬ素子１０Ａに供給される。
【手続補正８】
【補正対象書類名】明細書
【補正対象項目名】００８８
【補正方法】変更
【補正の内容】
【００８８】
図１７は、上記３つの画素ＰＸＬＣを形成するためのカラーフィルタ層１９、有機層１６（具体的には有機電界発光層）および開口部ＷＩＮ（バンク１５の開口）の各レイアウトの一例を表したものである。このように、本変形例では、カラーフィルタ層１９の色の配列（Ｒ，Ｇ，Ｂ）が、画素ＰＸＬＣの配列に対応しており、有機層１６は、３つの画素ＰＸＬＣに対して共通の白色発光層（Ｗ）を有している。また、バンク１５の開口部ＷＩＮは、画素ＰＸＬＣと１対１対応で設けられている。
【手続補正９】
【補正対象書類名】明細書
【補正対象項目名】００９０
【補正方法】変更
【補正の内容】
【００９０】
＜変形例１−２＞
図１９は、変形例１−２に係る画素ＰＸＬＣを形成するためのカラーフィルタ層１９、有機層１６および開口部ＷＩＮの各レイアウトの一例を表したものである。本変形例では、Ｒ，Ｇ，Ｂの３つの画素ＰＸＬＣから表示単位Ｕが構成され、有機層１６がＲ，Ｇ，Ｂの各色に塗り分けられている（画素ＰＸＬＣ毎に異なる色の発光層が形成されている）点で、上記実施の形態と異なっている。本変形例では、図２０に示したように、カラーフィルタ層１９のＲ，Ｇ，Ｂの各領域に対向して、有機層１６には、３色の発光層（１６Ｒ，１６Ｇ，１６Ｂ）が形成されている。
【手続補正１０】
【補正対象書類名】明細書
【補正対象項目名】００９２
【補正方法】変更
【補正の内容】
【００９２】
＜変形例１−３＞
図２１は、変形例１−３に係る画素ＰＸＬＣを形成するためのカラーフィルタ層１９、有機層１６および開口部ＷＩＮの各レイアウトの一例を表したものである。本変形例では、Ｒ，Ｇ，Ｂの３つの画素ＰＸＬＣから表示単位Ｕが構成され、有機層１６がＹ，Ｂの２色に塗り分けられている点で、上記実施の形態と異なっている。本変形例では、図２２に示したように、カラーフィルタ層１９のうちＲ，Ｇの領域に対向して、有機層１６では黄色（Ｙ）発光層（黄色発光層１６Ｙ）が形成されている。カラーフィルタ層１９のうちＢの領域に対向して、有機層１６では青色（Ｂ）発光層（青色発光層１６Ｂ）が形成されている。
【手続補正１１】
【補正対象書類名】明細書
【補正対象項目名】００９４
【補正方法】変更
【補正の内容】
【００９４】
＜変形例１−４＞
図２３は、変形例１−４に係る画素ＰＸＬＣを形成するためのカラーフィルタ層１９、有機層１６および開口部ＷＩＮの各レイアウトの一例を表したものである。本変形例では、Ｒ，Ｇ，Ｂ，Ｙの４つの画素ＰＸＬＣから表示単位Ｕが構成され、有機層１６がＹ，Ｂの２色に塗り分けられている点で、上記実施の形態と異なっている。本変形例では、図２４に示したように、有機層１６において、カラーフィルタ層１９のうちＲ，Ｙ，Ｇに対向する領域に、黄色発光層１６Ｙが形成されている。カラーフィルタ層１９のうちＢに対向する領域には、青色発光層１６Ｂが形成されている。
【手続補正１２】
【補正対象書類名】明細書
【補正対象項目名】０１１１
【補正方法】変更
【補正の内容】
【０１１１】
尚、図３６Ｄでは、開口部ＷＩＮを７行分設けている。このように、開口部ＷＩＮを奇数行分設けた場合には、全ての開口部ＷＩＮを最密充填配置により配置することができる。但し、図３６Ｂおよび図３６Ｃに示したように、開口部ＷＩＮを偶数行分設けた場合でも、上半分の開口部ＷＩＮを最密充填配置により配置するとともに、下半分の開口部ＷＩＮを最密充填配置により配置することができる。また、図３７Ａ〜図３７Ｆに示したように、開口部ＷＩＮの形状を円形にしてもよい。また、図３８Ａに示すように、楕円形の開口部ＷＩＮと、円形の開口部ＷＩＮの両方を設けてもよい。また、図３８Ｂに示すように、縦長の楕円形の開口部ＷＩＮと、横長の楕円形の開口部ＷＩＮの両方を設けてもよい。この場合には、左右方向に加え、上下方向の視野角も広げることができる。
【手続補正１３】
【補正対象書類名】明細書
【補正対象項目名】０１１２
【補正方法】変更
【補正の内容】
【０１１２】
＜適用例＞
上記実施の形態および変形例において説明した表示装置は、外部から入力された映像信号あるいは内部で生成した映像信号を、映像として表示するあらゆる分野の電子機器に用いることができる。その際、例えば図３９に示したようなモジュールとして、以下に挙げるようなテレビジョン装置，デジタルカメラ，ビデオカメラ，ノート型パーソナルコンピュータ、携帯電話およびスマートフォン等の携帯端末装置などの電子機器に組み込まれる。図３９において、基板１１には、例えば２次元配置されたサブ画素（上述の有機ＥＬ素子１０Ａを含む画素ＰＸＬＣ）を含む表示領域１１０と、信号線駆動回路１２０および走査線駆動回路１３０等とが形成されている。基板１１の一辺には、封止基板２０から露出した領域２１０が設けられ、この領域２１０に、信号線駆動回路１２０および走査線駆動回路１３０の配線を延長して外部接続端子（図示せず）が形成されている。外部接続端子には、信号の入出力のためのフレキシブルプリント配線基板（ＦＰＣ；Flexible Printed Circuit）２２０が設けられている。
【手続補正１４】
【補正対象書類名】明細書
【補正対象項目名】０１１４
【補正方法】変更
【補正の内容】
【０１１４】
図４１Ａおよび図４１Ｂは、デジタルカメラの外観を表したものである。このデジタルカメラは、例えば、フラッシュ用の発光部４１０、表示部４２０、メニュースイッチ４３０およびシャッターボタン４４０を有している。表示部４２０が、上記実施の形態等の表示装置により構成されている。